(57)【要約】【課題】上記課題を解決するためになされたものであり、居室面に汚れが付着することを抑制可能なデザイン性のよい換気グリルを提供すること。【解決手段】換気グリル１の隣接する二つの辺に給気口３１がそれぞれ形成され、他の隣接する二つの辺にはベース２０とパネル３０とを連結する隔壁２３が形成される。そして、給気口３１には、ベース２０とパネル３０との間隔が第１の間隔ｄ１である第１スリット３１ａと、ベース２０とパネル３０との間隔が第１の間隔ｄ１よりも広い第２の間隔ｄ２である第２スリット３１ｂとを備えている。第１スリット３１ａは、給気口３１の隔壁２３側の端部に形成され、第２スリット３１ｂは、第１スリット３１ａに隣接して形成されている。【選択図】図１
2020165577.tif 000002
【特許請求の範囲】
【請求項１】
換気装置によって空気が給気されるダクトに接続される開口を有し、居室面に固着される扁平四角形状のベースと、
前記ベースの外形よりも大きく、前記ベースを覆うように対向して居室側より配置された扁平四角形状のパネルと、を備え、
前記開口より供給された空気を前記ベースと前記パネルとの間に給気する給気口が形成された扁平四角形状の換気グリルにおいて、
前記換気グリルの隣接する二つの辺に前記給気口がそれぞれ形成され、他の隣接する二つの辺には前記ベースと前記パネルとを連結する隔壁が形成され、
前記給気口には、前記ベースと前記パネルとの間隔が第１の間隔である第１スリットと、前記ベースと前記パネルとの間隔が前記第１の間隔よりも広い第２の間隔である第２スリットとを備え、
前記第１スリットは、前記給気口の前記隔壁側の端部に形成され、
前記第２スリットは、前記第１スリットに隣接して形成されていることを特徴とする換気グリル。
【請求項２】
前記第１スリット及び前記第２スリットが非形成の前記給気口における前記ベースと前記パネルとの間隔は、前記第１の間隔よりも広く且つ前記第２の間隔よりも狭いことを特徴とする請求項１に記載の換気グリル。
【請求項３】
前記給気口の前記隔壁側の端部と前記開口の中心との間に、前記ベースまたは前記パネルより立設された衝立が形成されていることを特徴とする請求項１又は２に記載の換気グリル。
【請求項４】
前記開口と前記隔壁との間に、前記隔壁の一方の前記給気口側の端部側から、前記隔壁の他方の前記給気口側の端部側にわたって、湾曲状のリブが前記ベース又は前記パネルより立設されており、
前記リブは、前記リブの前記湾曲上の所定位置から前記リブの端部に向かって前記隔壁から離れる方向に傾斜するリブ傾斜部を備えていることを特徴とする請求項１から３のいずれかに記載の換気グリル。
【発明の詳細な説明】
【技術分野】
【０００１】
本発明は、換気グリルに関する。
【背景技術】
【０００２】
従来、室外空気を室内に供給するために、天井板等に端末開口として設けられる換気グリルが知られている。この種の換気グリルにおいて、以前は前面中央に格子状などの吹出し開口を設けたものが一般的であったが、近年では、外周縁に沿って吹出し開口を設け、前面中央を化粧パネルで覆ったデザイン性のよい換気グリルが増えている（例えば、特許文献１を参照）。
【先行技術文献】
【特許文献】
【０００３】
【特許文献１】特開２００９−５８１５７号公報
【発明の概要】
【発明が解決しようとする課題】
【０００４】
このような換気グリルにおいて、デザイン性をよりよくするために、化粧パネルを保持するベースより、化粧パネルを大きくして、下方から吹出し開口を見えにくくしたものが求められてきている。しかしながら、このような換気グリルは、吹出し開口が換気グリルの側面部に形成されることになる。よって、この場合、吹出し気流が天井面に沿って水平に流れるため、結果として天井面が汚れてしまう問題があった。
【０００５】
本発明は、上記課題を解決するためになされたものであり、居室面に汚れが付着することを抑制可能なデザイン性のよい換気グリルを提供することを目的とする。
【課題を解決するための手段】
【０００６】
この目的を達成するために、本発明の換気グリルは、扁平四角形状のベースと、扁平四角形状のパネルと、を備え、給気口が形成された扁平四角形状のものである。ベースは、換気装置によって空気が給気されるダクトに接続される開口を有し、居室面に固着される。パネルは、前記ベースの外形よりも大きく、前記ベースを覆うように対向して居室側より配置される。給気口は、前記開口より供給された空気を前記ベースと前記パネルとの間に給気する。また、本発明の換気グリルは、前記換気グリルの隣接する二つの辺に前記給気口がそれぞれ形成され、他の隣接する二つの辺には前記ベースと前記パネルとを連結する隔壁が形成される。そして、前記給気口には、前記ベースと前記パネルとの間隔が第１の間隔である第１スリットと、前記ベースと前記パネルとの間隔が前記第１の間隔よりも広い第２の間隔である第２スリットとを備えている。前記第１スリットは、前記給気口の前記隔壁側の端部に形成され、前記第２スリットは、前記第１スリットに隣接して形成されている。
【発明の効果】
【０００７】
本発明の換気グリルによれば、居室面に固着された扁平四角形状のベースの外形よりも大きく、当該ベースを覆うように対向して居室側より扁平四角形状のパネルが配置される。そして、開口を介してダクトから供給された空気は、ベース傾斜部とパネル突傾斜部との間に形成された給気口より給気される。これにより、給気口は居室側より見えにくく、デザイン性がよい。また、給気口の隔壁側の端部には、ベースとパネルとの間隔が狭い第１の間隔である第１スリットが形成され、第１スリットに隣接して、ベースとパネルとの間隔が広い第２スリットが形成されているので、居室面に汚れが付着することを抑制可能なデザイン性のよい換気グリルを実現できる。
【図面の簡単な説明】
【０００８】
【図１】（ａ）は、本実施形態に係る換気グリルを上方より一方向から見た概略斜視図であり、（ｂ）は、同換気グリルを上方より逆方向から見た概略斜視図である。
【図２】同換気グリルの概略正面図である。
【図３】（ａ）は、パネルを外した状態で同換気グリルを下方から見た概略斜視図であり、（ｂ）は、パネルを外した状態における同換気グリルの概略底面図である。
【図４】同換気グリルの給気口付近の側面図である。
【発明を実施するための形態】
【０００９】
以下、本発明を実施するための形態について添付図面を参照して説明する。なお、以下に説明する実施の形態は、いずれも本発明の好ましい一具体例を示すものである。よって、以下の実施の形態で示される、数値、形状、材料、構成要素、構成要素の配置位置及び接続形態などは、一例であって本発明を限定する主旨ではない。従って、以下の実施の形態における構成要素のうち、本発明の最上位概念を示す独立請求項に記載されていない構成要素については、任意の構成要素として説明される。また、各図において、実質的に同一の構成に対しては同一の符号を付しており、重複する説明は省略または簡略化する。
【００１０】
まず、図１〜図３を参照して、本発明の一実施形態に係る換気グリル１の構成について説明する。図１（ａ）は、本実施形態に係る換気グリル１を上方より一方向から見た概略斜視図であり、図１（ｂ）は、同換気グリル１を上方より逆方向から見た概略斜視図である。図２は、同換気グリル１の概略正面図である。図３（ａ）は、パネル３０を外した状態で同換気グリル１を下方から見た概略斜視図であり、図３（ｂ）は、パネル３０を外した状態における同換気グリル１の概略底面図である。
【００１１】
換気グリル１は、室外空気を室内に供給するために、室内の天井板または壁板等で形成される居室面に端末開口として設けられた、扁平四角形状をしたものであり、図１に示す通り、扁平四角形状のベース２０と、同じく扁平四角形状のパネル３０とによって構成される。
【００１２】
ベース２０は、換気グリル１が設置される居室面に固着された状態でパネル３０を保持する部材である。ベース２０には、上面中央部に貫通した開口２１（図３参照）が形成されている。開口２１には、換気装置（図示せず）によって室外より取り込んだ空気を給気するダクト２が接続される。この開口２１から、ダクト２にて給気された室外空気が換気グリル１内部に取り込まれる。
【００１３】
パネル３０は、ベース２０に保持された状態で、ベース２０の外形よりも大きく、ベース２０を覆うように居室側から対向して配置される部材である。パネル３０は、居室側に扁平四角形状の底面部３５が形成され、底面部３５によって、ベース２０側が視認できないようになっている。これにより、デザイン性のよい換気グリル１が実現される。また、底面部３５の居室側から視認される面に何らかの意匠を施すことで、よりデザイン性を高めることができる。
【００１４】
換気グリル１は、ベース２０にパネル３０が保持されて、ベース２０とパネル３０とが対向して配置されることで、ベース２０とパネル３０との間に、開口２１より供給された空気を室内に給気する給気口３１が形成されている。本実施形態では、換気グリル１の隣接する二つの辺に給気口３１がそれぞれ形成される。一方、換気グリル１の他の隣接する二つの辺には、ベース２０とパネル３０とを連結する隔壁２３が形成されている。
【００１５】
一般的に、換気グリル１は、室内における天井面または壁面といった居室面の角付近に設置されることが多い。居室面の角から離れる方向に換気グリル１の給気口３１を向け、居室面の角の方向に換気グリル１の隔壁２３を向けるように換気グリル１を居室面に設置することで、室外空気を効率よく室内に向けて給気することができる。また、換気グリル１から居室面の角の方向に向けて、給気する空気の流れができることを抑制することで、直近の室内の壁に当該空気があたって居室面に汚れが発生することを抑制できる。
【００１６】
また、上記したように、パネル３０はベース２０の外形よりも大きく、ベース２０を覆うように居室側から対向して配置される。これにより、換気グリル１は、ベース２０とパネル３０との間に形成された給気口３１を居室側より見えにくくすることができる。従って、換気グリル１のデザイン性をよりよくすることができる。
【００１７】
給気口３１には、図１及び図２に示す通り、３つのスリットが設けられている。まず、給気口３１の隔壁２３側の端部に第１スリット３１ａが設けられ、第１スリット３１ａに隣接して第２スリット３１ｂが設けられている。また、第１スリット３１ａ及び第２スリット３１ｂが非形成の給気口３１には、第３スリット３１ｃが設けられている。
【００１８】
第１スリット３１ａ、第２スリット３１ｂ及び第３スリット３１ｃは、いずれもベース２０とパネル３０との間に形成されたものであり、各々、ベース２０からパネル３０に向かって傾斜するベース傾斜部２２の傾斜角を変えることで、ベース２０とパネル３０との間隔が異なっている。即ち、第１スリット３１ａにおけるベース２０とパネル３０との間隔は第１の間隔ｄ１であるのに対し、第２スリット３１ｂにおけるベース２０とパネル３０との間隔は第２の間隔ｄ２である。また、第３スリット３１ｃにおけるベース２０とパネル３０との間隔は第３の間隔ｄ３である。
【００１９】
そして、第２の間隔ｄ２は、第１の間隔ｄ１よりも広い。また、第３の間隔ｄ３は、第１の間隔ｄ１よりも広く且つ第２の間隔ｄ２よりも狭い。即ち、第１スリット３１ａ、第２スリット３１ｂ及び第３スリット３１ｃのうち、第１スリット３１ａが最も狭く形成され、第２スリット３１ｂが最も広く形成されている。
【００２０】
ベース２０の内部には、図３に示す通り、ベース２０の扁平面に対して垂直方向にリブ２４と２対の衝立２５とが立設されている。
【００２１】
リブ２４は、ダクト２が接続される開口２１と、隔壁２３との間に、隔壁２３の一方の給気口３１側の端部２３ａ側から、隔壁２３の他方の給気口３１側の端部２３ｂ側にわたって、湾曲状に設けられている。リブ２４は、上下方向（立設方向、ベース２０の扁平面に対して垂直方向）において、一方はベース２０と接し、他方はパネル３０と接している。また、リブ２４は、リブ２４の湾曲上の所定位置２４ｂからリブ２４の端部２４ｃに向かって隔壁２３から離れる方向に傾斜するリブ傾斜部２４ａを備えている。即ち、リブ２４の所定位置２４ｂと隔壁２３との距離よりも、リブ２４の端部２４ｃと隔壁２３との距離が長くなるように、リブ傾斜部２４ａが形成されている。
【００２２】
また、衝立２５は、給気口３１の隔壁２３側の２つの端部と開口２１の中心との間であって、開口２１の接線に当たる２箇所の位置に設けられている。衝立２５は、開口２１の接線方向に所定長（例えば、４０ｍｍ）を有し、また、上下方向（立設方向、ベース２０の扁平面に対して垂直方向）に所定高（例えば、２０ｍｍ）を有している。
【００２３】
次に、図１〜図４を参照して、換気グリル１の作用効果について説明する。図４は、換気グリル１の給気口３１付近を、図１（ａ）のＩＶ方向から見た側面図である。
【００２４】
換気装置によってダクト２から空気が給気されると、ベース２０に形成された開口２１からその室外空気が換気グリル１内部に取り込まれる。換気グリル１内部に取り込まれた空気は、開口２１から給気口３１までに形成される空気の風路を流通して、給気口３１から室内に給気される。
【００２５】
ここで、給気口３１の隔壁２３側の端部には、ベース２０とパネル３０との間隔が狭い第１の間隔ｄ１である第１スリット３１ａが形成されている。給気口３１の隔壁２３側の端部には、隔壁２３によって空気が集まりやすい。その隔壁２３側の端部において、ベース２０とパネル３０との間隔が狭い第１の間隔ｄ１である第１スリット３１ａが形成されることで、第１スリット３１ａから給気される空気を加速させて早い速度で居室面から離れた方向に向かわせる、第１の気流４０（図４参照）を形成することができる。また、第１スリット３１ａから給気される空気により換気グリル１に接する隔壁２３の後方側から誘引される空気も、速度の速い第１の気流４０に誘引されることによって、第２の気流４１（図４参照）として居室面から離れた方向に向かわせることができる。
【００２６】
一方、第１スリット３１ａにより速度の速い第１の気流４０が形成されると、その早い第１の気流４０によって、第１スリット３１ａ上のベース傾斜部２２と居室面との間の空気も居室面から離れた方向に誘引される。そのため、第１スリット３１ａ上のベース傾斜部２２と居室面との間が負圧になり、その空間に図４に示すような空気の渦４２が発生する可能性が生じる。これに対し、第１スリット３１ａに隣接して、ベース２０とパネル３０との間隔が広い第２の間隔ｄ２である第２スリット３１ｂが形成されている。この第２スリット３１ｂからは、第２の間隔ｄ２が広いため、速度の遅い気流が形成されて空気が給気される。これにより、第１スリット３１ａから給気される空気は、この第２スリット３１ｂから給気される空気を誘引できるので、第１スリット３１ａ上のベース傾斜部２２と居室面との間から誘引される空気を低減できる。よって、換気グリル１は、第１スリット３１ａから給気される空気による渦４２の発生を抑制できる。
【００２７】
以上のように、換気グリル１では、多くの空気が給気される給気口３１の隔壁２３側の端部において、第１の気流４０を形成してその空気を居室面から離れた方向に向かわせ、また、隔壁２３の後方側から誘引される空気も第２の気流４１によって居室面から離れた方向に向かわせることができる。また、換気グリル１では、給気口３１の隔壁２３側の端部のベース２０とパネル３０との間隔を狭くすることで発生し得る居室面側の渦４２を抑制することができる。よって、居室面に汚れが付着することを抑制可能なデザイン性のよい換気グリル１を実現できる。
【００２８】
また、第１スリット３１ａ及び第２スリット３１ｂが非形成の場所において給気口３１に形成された第３スリット３１ｃにおけるベース２０とパネル３０との間隔ｄ３が、第１の間隔ｄ１よりも広く且つ第２の間隔ｄ２よりも狭くなるように、第３スリット３１ｃが形成されている。これにより、第３スリット３１ｃから給気される空気の気流の速度を遅くすることで、居室面側の空気の誘引を抑えて渦４２の発生を抑制しつつ、第３スリット３１ｃから給気される空気を確実に居室面から離れた方向に向かわせることができる。
【００２９】
また、開口２１から給気口３１の隔壁２３側の端部に向けて吹出された空気は、給気口３１の隔壁２３側の端部と開口２１の中心との間であって開口２１の接線上に設けられた衝立２５に衝突する。仮に、衝立２５が設けられていない場合、開口２１から給気口３１の隔壁２３側の端部への気流が集中し、第１スリット３１ａから吹出される第１の気流４０の速度が速くなり過ぎるおそれがある。これにより、第２スリット３１ｂを形成したとしても、第１スリット３１ａ上のベース傾斜部２２と居室面との間に、上記した渦４２が発生し易くなって、居室面が汚れるおそれがある。これに対し、衝立２５を設けることで、開口２１から給気口３１の隔壁２３側の端部へ吹出される空気は、衝立２５に衝突して図３（ｂ）に示すような第３の気流４３を形成する。これにより、開口２１から給気口３１の隔壁２３側の端部へ吹出される空気は、種々の方向に分散されるので、給気口３１の隔壁２３側に給気する空気が集中することを抑制できる。従って、第１スリット３１ａから給気される空気が多くなり過ぎて居室面側に渦４２が発生することを抑制し、居室面への汚れの付着を抑制できる。
【００３０】
また、開口２１から隔壁２３に向けて吹出された空気は、湾曲状に形成されたリブ２４に沿って、給気口３１へと導かれる。仮にリブ２４が設けられていない場合、開口２１から隔壁２３に向けて吹出された空気が換気グリル１内で滞留し、渦が発生するおそれがおあり、騒音の発生の原因ともなる。これに対し、リブ２４が設けられることで、開口２１から隔壁２３に向けて吹出された空気がスムーズに給気口３１へと導かれるので、騒音を抑制することができる。
【００３１】
また、リブ２４によって給気口３１へと導かれた空気は、リブ傾斜部２４ａによって、図３（ｂ）に示す第４の気流４４となって、給気口３１の隔壁２３側の端部から離れた方向に向けられる。これにより、給気口３１の隔壁２３側の端部に給気する空気が集中することを抑制できるので、第１スリット３１ａから給気される空気が多くなり過ぎて居室面側に渦４２が発生することを抑制し、居室面への汚れの付着を抑制できる。
【００３２】
以上、実施形態に基づき本発明を説明したが、本発明は上記実施形態に何ら限定されるものではなく、本発明の趣旨を逸脱しない範囲内で種々の改良変形が可能であることは容易に推察できるものである。例えば、各実施形態は、それぞれ、他の実施形態が有する構成の一部または複数部分を、その実施形態に追加し或いはその実施形態の構成の一部または複数部分と交換等することにより、その実施形態を変形して構成するようにしても良い。また、上記各実施形態で挙げた数値は一例であり、他の数値を採用することは当然可能である。
【００３３】
また、上記実施形態において、リブ２４及び衝立２５が、ベース２０の扁平面に立設して設けられる場合について説明したが、パネル３０の扁平面に立設して設けられてもよい。この場合、衝立２５は、ベース２０の扁平面に接するように形成されることが好ましい。
また、上記実施形態において、衝立２５は、給気口３１の隔壁２３側の端部と開口２１の中心との間であって、開口２１の接線に当たる位置に設けられている場合について説明したが、給気口３１の隔壁２３側の端部と開口２１の中心との間であれば、その設けられる位置は任意の位置であってよい。ただし、衝立２５を設ける位置が、開口２１の接線に当たる位置に近いほど、開口２１から給気口３１の隔壁２３側の端部へ吹出される空気の分散される方向が広がるため、居室面への汚れの付着を抑制できる効果が得られやすい。
【産業上の利用可能性】
【００３４】
本発明に係る換気グリルは、デザイン性が求められる換気グリルに適用可能である。
【符号の説明】
【００３５】
１        換気グリル
２０      ベース
２１      開口
２２      ベース傾斜部
２３      隔壁
２３ａ    隔壁の一方の給気口側の端部
２３ｂ    隔壁の他方の給気口側の端部
２４      リブ
２４ａ    リブ傾斜部
２４ｂ    リブの湾曲状の所定位置
２４ｃ    リブの端部
２５      衝立
３０      パネル
３１      給気口
３１ａ    第１スリット
３１ｂ    第２スリット
３１ｃ    第３スリット
３５      底面部
ｄ１      第１の間隔
ｄ２      第２の間隔
ｄ３      第３の間隔
４０      第１の気流
４１      第２の気流
４２      渦
４３      第３の気流
４４      第４の気流
【図１】
2020165577.tif 000003
【図２】
2020165577.tif 000004
【図３】
2020165577.tif 000005
【図４】
2020165577.tif 000006